(57)【特許請求の範囲】
【請求項１】
屋根にパネルを取り付けるための受金具構造であって、
前記屋根に葺かれた瓦と野地板とを貫いて形成された貫通孔と、
該貫通孔に挿通され上端にネジが形成された支持ボルトと、
該支持ボルトに外嵌して前記瓦の上面に突出する筒と、該筒を前記瓦に固定する固定手段と、を備える筒具と
前記野地板の下方へ突出した前記支持ボルトの下端に設けられた抜け止め手段と、
前記ネジに螺合して前記抜け止め手段との間で前記野地板を挟持する締結部材と
を備え、
前記筒の外周にねじ山が設けられ、前記固定手段が、前記筒の下端に取り付けられた抜け止め部材と、前記ねじ山に螺合し前記抜け止め部材との間で前記瓦を挟持する締結片とを含むパネルの受金具構造。
【請求項２】
前記抜け止め手段が、屋根裏の垂木の間に架橋して前記支持ボルトの下端部に螺着している長尺材である請求項１に記載のパネルの受金具構造。
【請求項３】
屋根にパネルを取り付けるための受金具構造であって、
前記屋根に葺かれた瓦を貫いて形成された貫通孔と、
該貫通孔に挿通された支持ボルトと、
該支持ボルトに外嵌して前記瓦の上面に突出する筒と、該筒を前記瓦に固定する固定手段と、を備える筒具と、
前記瓦と野地板の間に敷設され且つ該野地板に取り付けられて前記瓦の下方へ突出した該支持ボルトの下端を該野地板に固定する固定具と
を備え、
前記筒の外周にねじ山が設けられ、前記固定手段が、前記筒の下端に取り付けられた抜け止め部材と、前記ねじ山に螺合し前記抜け止め部材との間で前記瓦を挟持する締結片とを含むパネルの受金具構造。
【請求項４】
前記抜け止め部材と前記締結片との間に前記瓦に当接してパッキンが備えられ前記瓦が該パッキンとともに挟持される請求項１ないし３のいずれかに記載のパネルの受金具構造。
【発明の詳細な説明】
【０００１】
【発明の属する技術分野】
本発明は太陽電池パネル、看板、温水器のパネル等の屋外設置用パネルを瓦屋根に搭載するための受金具構造に関するもので、特に、平瓦のような平板状の屋根材を使用した屋根面においても屋外設置用パネルを簡単に取り付けることの出来る、パネルの受金具構造に関するものである。
【０００２】
【従来の技術】
従来、太陽電池パネル、看板、温水器のパネル等の屋外設置用パネルを屋根面に取り付けることは、凹凸の少ない屋根面に対しては比較的簡単に行われてきたが、平瓦のような平板状の屋根材を使用した屋根面に取り付けることは、屋根材と野地板の間のスペースが狭く極めて難しい工法を必要としていた。又、パネルを屋根の躯体に取り付けるには、瓦に大きな荷重をかけることが出来ず、屋根面を貫通して取り付け部材を設置する必要があり、このとき屋根の凹凸が邪魔して、取り付け部材の設置や固定がしにくく、瓦を一部除去したり、破損したりして雨漏りの問題が発生したり、取り付け部材を取り付ける屋根の部分の強度に問題が出たりしやすかった。更に、瓦の凹凸にあわせ取り付け部材を製作しても、瓦の形は家により異なる場合が多く、このことも取り付け部材を屋根に設置するうえでの障害となっている。又、それを避けて例えば屋根の端から導いた針金でパネルの四方を張る構造にした場合などは、そのような構造に強度上あるいは美観上の問題が発生しやすかった。このため、多様な屋根構造に対応してパネルを瓦屋根の躯体に確実に取り付ける技術が望まれている。
【０００３】
この工法に関して、既に本発明の発明者は、実登第３０１８３９５号にパネルの荷重を受けるボルトを野地板に固定するソーラー器の受金具構造を提案している。
【０００４】
この考案に係る受金具構造は、屋根瓦の山部に貫通孔をあけ、パネルの荷重に対してはその位置でボルトを野地板に固定することにより、又浮力に対してはボルトを垂木間に架けた長尺材に固定することにより、それぞれに抗力をもたせ、かつ屋根上に突出しているボルトの上部であって瓦と離れた位置に受けナットを取り付け、この受けナットによってパネルをサポートする構造となっており、波状凹凸のある瓦製の屋根面にも屋外設置用パネルを安定かつ簡単に取り付けることができ、しかも屋根の強度や雨漏りにも問題を発生しないものであるが、この構造は、平瓦のような平板状の屋根材を使用した屋根面に取り付けると、瓦の貫通孔から雨漏りが多く問題である。
【０００５】
又、野地板の裏側に固定用の長尺材を配置したり、野地板の裏側でナット締め等の作業をする余地がない場合には使用出来ない。又、隣接の瓦を一時剥がさないと取り付け作業ができず、この瓦の取り外しと、復元に手間と熟練を要した。
【０００６】
【発明が解決しようとする課題】
本発明は、これら問題点を解決し、平瓦のような平板状の屋根材を使用した屋根面に、太陽電池パネル、看板、温水器のパネル等の屋外設置用パネルを安定に且つ極めて簡単に取り付けることができ、しかも雨漏りに問題を生ぜず、且つ多様な屋根構造に対応して取り付けが容易なパネルの受金具構造を提供しようとする。
【０００７】
【課題を解決するための手段】
本発明の要旨とするところは、屋根にパネルを取り付けるための受金具構造であって、
前記屋根に葺かれた瓦と野地板とを貫いて形成された貫通孔と、
該貫通孔に挿通され上端にネジが形成された支持ボルトと、
該支持ボルトに外嵌して前記瓦の上面に突出する筒と、該筒を前記瓦に固定する固定手段と、を備える筒具と
前記野地板の下方へ突出した前記支持ボルトの下端に設けられた抜け止め手段と、
前記ネジに螺合して前記抜け止め手段との間で前記野地板を挟持する締結部材と
を備えるパネルの受金具構造であることにある。
【０００８】
前記パネルの受金具構造は、野地板の上に敷設された支持板を含み得る。
【０００９】
前記パネルの受金具構造においては、前記貫通孔が前記支持板を貫通させて形成され得、前記抜け止め手段と前記締結部材との間で前記野地板及び前記支持板を挟持し得る。
【００１０】
前記抜け止め手段は、屋根裏の垂木の間に架橋して前記支持ボルトの下端部に螺着している長尺材であり得る。
【００１１】
前記長尺材は、少なくとも一端部に回り止め突起を有し得る。
【００１２】
前記回り止め突起は、前記長尺材の角部が折り曲げられて成り得る。
【００１３】
前記長尺材は、前記支持ボルトの下端部と螺合するためのネジ孔を備え得る。
【００１４】
前記パネルの受金具構造においては、前記ネジ孔が複数個備えられ得る。
【００１５】
前記ネジ孔は、上部に、上にゆくほど広がる開口部を備え得る。
【００１６】
又、本発明の要旨とするところは、屋根にパネルを取り付けるための受金具構造であって、
前記屋根に葺かれた瓦を貫いて形成された貫通孔と、
該貫通孔に挿通された支持ボルトと、
該支持ボルトに外嵌して前記瓦の上面に突出する筒と、該筒を前記瓦に固定する固定手段と、を備える筒具と、
前記瓦と野地板の間に敷設され且つ該野地板に取り付けられて前記瓦の下方へ突出した該支持ボルトの下端を該野地板に固定する固定具と
を備えるパネルの受金具構造であることにある。
【００１７】
前記固定具は、
前記支持ボルトの下端部に螺着させられた受け部材、を備えるベース板と、
該受け部材を跨いで前記ベース板に固定され、前記支持ボルトを挿通させる開口を該受け部材の上方に有する台座と、
前記支持ボルトのネジに螺合させられ、前記ベース板との間で少なくとも前記台座を挟持する締結子と
を含み得る。
【００１８】
前記パネルの受金具構造においては、前記筒の外周にねじ山が設けられ、 前記固定手段が、前記筒の下端に取り付けられた抜け止め部材と、前記ねじ山に螺合し前記抜け止め部材との間で前記瓦を挟持する締結片とを含み得る。
【００１９】
【発明の実施の形態】
本発明に係るパネルの受金具構造の態様を図面に基づいて詳しく説明する。図１はパネルの受金具構造８の横断面略図である。図２は図１の部分拡大図である。図１、図２において受金具構造８は、ルーフィング２で表面を覆われた野地板３を貫通する支持ボルト４と、筒具２２と、支持ボルト４の抜け止め手段１１を構成する長尺材７と、を主体に構成されている。瓦（軽量平瓦）１は野地板３の上に配されている。瓦１は貫通孔６があけられている。又、その貫通孔６の直下の位置で、野地板３にも貫通孔１５があけられている。支持ボルト４は、貫通孔６と貫通孔１５を挿通し、野地板３を支える垂木９、９ａ間に架橋した長尺材７のネジ孔１６に螺入されて固定されている。長尺材７にはネジ孔１６が複数個設けられていて、支持ボルト４と垂木９、９ａとの相対位置により、いずれかのネジ孔を選択して長尺材７が垂木９、９ａ間に架橋するような配置にすることが出来る。
【００２０】
又一方、支持ボルト４は筒具２２に挿通させられている。筒具２２は、瓦１の表面と垂直方向を軸として突出する筒２３を備え、筒２３の下端には、抜け止め板２９が溶接固定されて抜け止め部材３３となっている。抜け止め板２９の面と筒２３の軸とは垂直となっている。筒具２２は、この軸の方向に筒２３と抜け止め板２９とを貫抜く孔であり、筒２３の中空部を含む貫き孔２５を有する。筒２３の外周にはねじ山５３（図２）が設けられている。筒２３が瓦１の貫通孔６に挿入されて、ナット状の締結片３１が、ねじ山５３に螺合させられ、抜け止め板２９との間で瓦１をパッキン３７及び座金４４を介して挟持して締結し、瓦１に筒具２２を固定している。
【００２１】
図１においては、抜け止め板２９とねじ山５３とナット状の締結片３１とで、筒具２２を瓦１に固定する固定手段１００が構成されている。
【００２２】
本発明の他の態様においては、抜け止め板２９に螺子孔が設けられ、その螺子孔に筒２３の下端をねじ込んで、ナット状の締結片３１とその板部材とで瓦１を挟持して締結し筒具２２を瓦１に固定する構成であってもよい。これらの態様においては、筒２３が瓦１に着脱自在に固定されている。本発明の更に他の態様においては、筒２３が接着により瓦１に固定されてもよい。
【００２３】
図２に、筒具２２が、抜け止め板２９との間で瓦１を挟持して締結する図１の部分Ａの構成を拡大して示す。
【００２４】
貫き孔２５と貫通孔６と貫通孔１５を挿通した支持ボルト４は、上述のように長尺材７のネジ孔１６にねじ込まれて固定され、野地板３は、支持ボルト４のネジに螺合させられた締結部材２６により、座金５２を介して締め付けられる。符号３８は締結部材２６をカバーするゴム製のキャップである。
【００２５】
このような構成により、支持ボルト４にかかる下向きの荷重は、野地板３を介して垂木９、９ａが受け止め、支持ボルト４にかかる上向きの荷重は、長尺材７を介して垂木９、９ａが受け止める。支持ボルト４と瓦１は貫き孔２５により隔てられているので、瓦１には力がかからない。なお、貫き孔２５と支持ボルト４の間の隙間は弾性コーキング剤等により埋めて水の侵入を防止することが望ましい。
【００２６】
支持ボルト４の上部にはパネル固定用の梁部材１４が取り付けられる。梁部材１４は支持ボルト４に配された締めナット２７と受けナット５により締結される。
【００２７】
本発明のこのような受金具構造８においては、支持ボルト４を屋根に固定するための締結部材２６の締め付け作業の大半を屋根の外側で行うことができ、この締め付け作業の際、野地板３の裏側に手を入れたままである必要がなく、支持ボルト４の固定作業が容易である。
【００２８】
又、本発明の受金具構造８においては、図３（ａ）に示すように、断面Ｌ字型の長尺材７の両端部の角部が折り曲げられ、回り止め突起１９が形成されている。支持ボルト４をネジ孔１６にねじ込むとき、あるいは締結部材２６を締めるとき、回り止め突起１９が垂木９、９ａに当たったり喰い込んだりして、長尺材７の回転を防止する。図３（ｂ）は図３（ａ）のＡ−Ａ´方向の断面図であり、長尺材７のネジ孔１６の上部開口部は先開きの勾配３９が付いている。このため、支持ボルト４をネジ孔１６に螺入するとき、支持ボルト４が偏芯して上から挿入されてもこの勾配３９によりガイドされて所定の挿入位置に収まりやすい。このような勾配３９は、長尺材７を構成する鉄板５９を打ち抜いて穿孔し、その打ち抜き孔にネジ６９を切ることにより形成される。
【００２９】
回り止め突起１９の形状は回り止め効果があれば特に問わないが、図３（ａ）に示すように長尺材の角部が上側に折り曲げられて成ることが好ましい。この構成は回り止め突起１９の形成加工を容易かつ確実に行うことが出来る。又、先端が尖っているので垂木９、９ａに突き刺さったり喰いこんだりして、垂木９、９ａと当接又は係合したときの回り止め効果が確実である。
【００３０】
図３（ｂ）は図３（ａ）のＡ−Ａ´方向の断面図であり、長尺材７のネジ孔１６は上部に、上にゆくほど広がる開口部を備え、先開きの勾配３９が付いている。このため、支持ボルト４をネジ孔１６に螺入するとき、支持ボルト４が偏芯して上から挿入されてもこの勾配３９によりガイドされて所定の挿入位置に収まりやすく、作業の能率が上がる。
【００３１】
更に、図３（ａ）、（ｂ）に示すように支持ボルト４には２個のネジ孔１６が設けられている。垂木９、９ａと、瓦１に設けるべき貫通孔６との相対位置が
一定ではないので、長尺材７にネジ孔１６が１個しかないと、場合によっては垂木９、９ａに長尺材７を架け渡す配置をとれないことがある。２個のネジ孔１６のうちのひとつを選択することにより、垂木９、９ａと、瓦１に設けるべき貫通孔６との相対位置が異なっても垂木９、９ａに長尺材７を架け渡す配置をとることが可能となる。長尺材７に設けるネジ孔１６の数は３個以上であってもよい。
【００３２】
本発明のパネルの受金具構造の他の態様を図４に示す。図４の横断面略図において、受金具構造８ａは、図１に示す受金具構造８とほぼ同じ構成となっているが、支持板５０が野地板３の上に敷設されている。支持板５０には、野地板３とともに貫通孔１５が貫いている。支持ボルト４のネジに螺合させられた締結部材２６により、野地板３とともに座金５２を介して締め付けられる。支持板５０は好ましくは面積が１０ｃｍ×１０ｃｍ以上であり、支持板５０により野地板３への力を分散させることが出来る。支持板５０が２本の垂木９、９ａに渡る幅を有することが更に好ましい。
【００３３】
なお、本発明の他の態様においては、支持板５０が単に野地板３の上に敷設されて野地板３を補強しているのみで、締結部材２６と抜け止め手段１１との間に挟持されてはいない構成をとることも出来る。
【００３４】
本発明のこのような受金具構造８、８ａを屋根上に組み立てる手順を受金具構造８ａの場合を例に説明するならば、まず、組み立てる位置の瓦１の隣の下方の瓦を剥がす。そして瓦１と野地板３とを貫通する貫通孔６、１５を瓦１の上からドリル等を用いてあける。次いで、瓦１に筒具２２を装着固定する。次いで、瓦１の下方の端部の、瓦１と野地板３との隙間から支持板５０を挿入し、支持板５０の貫通孔５４が貫通孔１５の上方にくるように支持板５０の位置を決める。次に支持ボルト４を上から貫き孔２５を貫いて挿入し、野地板３の上に載置された支持板５０と瓦１との間の空間に下端部を突出させ、その空間に手を入れて、支持ボルト４の下端部から締結部材２６を支持ボルト４に螺合し、座金５２を支持ボルト４にはめる。次いで支持ボルト４の下端部を貫通孔５４、１５を貫いて挿入し、野地板３の裏側に下端部を突出させる。
【００３５】
次に、野地板３の裏側にいる人が長尺材７を垂木９、９ａの間に架け渡し、突出した支持ボルト４の下端部を長尺材７のネジ孔１６に螺入する。あるいは可能であれば野地板３の裏側に手を入れて突出した支持ボルト４の下端部を長尺材７のネジ孔１６に螺入する。支持ボルト４の下端部は一部ネジ孔１６に螺入されれば、あとは屋根の上から支持ボルト４を回して充分に下端部をネジ孔１６に螺入することが出来る。次いで、支持ボルト４に螺合しているナット等の締結部材２６を座金５２を介して支持板５０の上から締めて支持板５０を締結部材２６と野地板３の間に挟持させ固定させる。即ち、抜け止め手段１１を構成する長尺材７と締結部材２６の間で野地板３と支持板５０が挟持される。
【００３６】
本発明のこのような受金具構造８、８ａにおいては、支持ボルト４を屋根に固定するための締結部材２６の締め付け作業を屋根の外側にいて瓦１と支持板５０の間の空間に手をいれて行う。締め付け作業の際、野地板３の裏側に手を入れたままである必要がなく、支持ボルト４の固定作業が容易である。
【００３７】
図１、図４に示すような本発明の態様においては、図５に示す態様の抜け止め手段を用いることが出来る。図５において、抜け止め手段１１ｃは、回動自在な長板１９２から成る。支持ボルト４ｃの下端部に縦にスリット１９４が設けられ、長板１９２の少なくとも上半分がスリット１９４に縦に挿入された状態で、長板１９２の略中央部あるいは中央部から若干偏った位置でロッド１９６を介して支持ボルト４ｃの下端部に軸着されている。この状態で支持ボルト４ｃを下方に押し下げ、抜け止め手段１１ｃを野地板の孔に挿通し、挿通後に長板１９２はその位置が横（図５のＰの位置からHの位置に）なることにより支持ボルト４ｃの抜け止めとなる。
【００３８】
本発明の他の態様の受金具構造を図６に示す。図６の受金具構造８ｂは、支持ボルト４を固定する固定具４９を含んで構成される。瓦１には、図１、図４におけると同様の筒具２２が装着固定される。固定具４９はベース板４０を基板として構成される。ベース板４０は上向きのネジ孔３５を有する受け部材３０を備え、又、受け部材３０を跨いで掛け橋型の台座３２がベース板４０に杢ネジで固定されている。図７（ａ）に受け部材３０の形状を示す。受け部材３０は杢ネジ用の孔４７を有し、中央に固定ナット３４が固着されている。図７（ｂ）に掛け橋型台座３２の形状を示す。掛け橋型台座３２は掛け橋形状をしており、杢ネジ用の孔４６を有し、中央に支持ボルト４を挿通する開口３６を有する。
【００３９】
図６において、受け部材３０は杢ネジ４３によってベース板４０に固定され、掛け橋型台座３２は受け部材３０を跨いで杢ネジ４１、４２によってベース板４０に固定されている。又、ベース板４０も杢ネジ４１、４２によって、ルーフィング２を備えた野地板３に固定されている。別の杢ネジ等により、ベース板４０を野地板３に固定してもよい。ベース板４０の面積は１０ｃｍ×１０ｃｍ以上であることが野地板３への力を分散させるうえで好ましい。１５ｃｍ×３０ｃｍ以上であることが垂木９、９ａへの力も分散できて更に好ましい。
【００４０】
図６のこの態様においては、瓦１に貫通孔６をあけ、筒具２２を装着固定する。ベース板４０を野地板３に固定した後、支持ボルト４を貫き孔２５及び開口３６を貫いて挿入しその下端部を固定ナット３４に螺入する。次いで支持ボルト４のネジに螺合させられた締結子１２６を締めると、支持ボルト４が固定される。
【００４１】
本発明の他の態様においては、野地板３が、野地板３を補強する不図示の支持板を備え、固定具４９が、その支持板介して野地板３に固定されていてもよい。
【００４２】
この受金具構造８ｂの態様は、野地板３の裏側での操作が全くないので、屋根の壁際や軒際等の端の位置で、図１や図４に示す態様の受金具構造の使用できない部位においての使用が可能である。
【００４３】
【発明の効果】
本発明に係るパネルの受金具構造は、平瓦製の屋根面に、太陽電池パネル、看板、温水器のパネル等の屋外設置用パネルを安定に且つ極めて簡単に取り付けることができる。
【００４４】
本発明に係るパネルの受金具構造は、屋根の強度や雨漏りに問題を生ぜず、且つ多様な屋根構造に対応して取り付けが可能である。
【図面の簡単な説明】
【図１】本発明に係る受金具構造の横断面略図である。
【図２】図１の受金具構造の部分拡大横断面略図である。
【図３】本発明に係る受金具構造に用いる長尺材の形状を示し、図２（ａ）は斜視説明図であり、図２（ｂ）は断面略図である。
【図４】本発明に係る他の態様の受金具構造の横断面略図である。
【図５】本発明に係る受金具構造に用いられる抜け止め手段の他の態様を示す斜視説明図である。
【図６】本発明に係る又更に他の態様の受金具構造の横断面略図である。
【図７】図６の受金具構造に用いられる部材の形状を示す斜視説明図であり、図７（ａ）は受け部材の形状を示す。図７（ｂ）は掛け橋型台座の形状を示す。
【符号の説明】
１：瓦
２：ルーフィング
３：野地板
４：支持ボルト
５：受けナット
６，１５：貫通孔
７：長尺材
８，８ａ，８ｂ：受金具構造
９，９ａ：垂木
１１，１１ｃ：抜け止め手段
１６：ネジ孔
１９：回り止め突起
２２：筒具
２３：筒
２６：締結部材
２７：ねじ山
２９：抜け止め板
３０：受け部材
３１：締結片
３２：台座
３３：抜け止め部材
３６：開口
４０：ベース板
４９：固定具
１００：固定手段
【図１】
0003729493.tif 000002
【図２】
0003729493.tif 000003
【図３】
0003729493.tif 000004
【図４】
0003729493.tif 000005
【図５】
0003729493.tif 000006
【図６】
0003729493.tif 000007
【図７】
0003729493.tif 000008